(57)【要約】【課題】本発明は、髪の毛が絡まりにくく、容易に髪の毛を取り除くことが可能なヘアキャッチャーを提供する。【解決手段】上述した課題を解決するために、排水トラップの上部に形成された開口部に着脱可能に取り付けられ、多数の通水孔を有するヘアキャッチャーであって、前記ヘアキャッチャーは、前記ヘアキャッチャー上の髪の毛が溜まる部分の通水孔を閉塞させて面とし、前記閉塞面の上面には、髪の毛を支持する多数の凸状部が形成されていることを特徴とするヘアキャッチャーを提供する。【選択図】図１
2010159572.tif 000002
【特許請求の範囲】
【請求項１】
排水トラップの上部に形成された開口部に着脱可能に取り付けられ、多数の通水孔を有するヘアキャッチャーであって、
前記ヘアキャッチャーは、前記ヘアキャッチャー上の髪の毛が溜まる部分を閉塞面としたことを特徴とするヘアキャッチャー。
【請求項２】
前記閉塞面の上面には、髪の毛を支持する多数の凸状部が形成されていることを特徴とするヘアキャッチャー。
【請求項３】
前記閉塞面は円周状に形成されており、前記多数の凸状部は前記閉塞面に対して法線状に形成されていることを特徴とする請求項２記載のヘアキャッチャー。
【発明の詳細な説明】
【技術分野】
【０００１】
本発明は、排水トラップの上部に形成された開口部に着脱可能に取り付けられるヘアキャッチャーに関する。
【背景技術】
【０００２】
特許文献１および特許文献２では、排水トラップの上部に形成された開口に、髪の毛等のごみ類を捕集するために、網目状のヘアキャッチャーが着脱可能に取り付けられている。このように、開口にヘアキャッチャーを取り付けることで、排水トラップ内に髪の毛等のごみ類が流入することを防止することができる。
【０００３】
しかしながら、網目部は全体が表面側と裏面側を貫通し、水を通すための開孔となっているため、髪の毛が表面側と裏面側の間で網目部に絡まり、髪の毛を取り除くのが困難であるという問題があった。
【０００４】
【特許文献１】特許第３７２８６８８号公報
【特許文献２】特開２００５−３２５５２４号公報
【発明の開示】
【発明が解決しようとする課題】
【０００５】
本発明は、上述した問題に鑑み、髪の毛が絡まりにくく、容易に髪の毛を取り除くことが可能なヘアキャッチャーを提供することを目的とする。
【課題を解決するための手段】
【０００６】
本発明の一態様によれば、
排水トラップの上部に形成された開口部に着脱可能に取り付けられ、多数の通水孔を有するヘアキャッチャーであって、
前記ヘアキャッチャーは、前記ヘアキャッチャー上の髪の毛が溜まる部分を閉塞面としたことを特徴とするヘアキャッチャーを提供する。
【発明の効果】
【０００７】
本発明によれば、髪の毛が絡まりにくく、容易に髪の毛を取り除くことが可能なヘアキャッチャーを提供することができる。
【発明を実施するための最良の形態】
【０００８】
本発明の実施形態について、図面を用いて説明する。図１は、本発明に係るヘアキャッチャーの斜視図である。図２は、本発明に係るヘアキャッチャーを裏側からみた際の平面図である。図３は、本発明に係るヘアキャッチャーを表側からみた際の平面図である。図４は、本発明に係る排水トラップを示す断面図である。
【０００９】
図４に示すように、排水トラップ２は、トラップ本体部２１と、防水床パンを間に挟んだ状態で上側からトラップ本体部２１を吊持する取り付けフランジ２２と、取り付けフランジ２２に対してパッキンを介して水密的に取り付けられる封水筒２３と、トラップ本体部２１の側壁に形成され、浴槽排水管３が接続される接続口部２４と、接続口部に水密的に取り付けられる逆止弁付き排水ピース２５と、トラップ本体部２１内の水を外部に排出するための排水口（図示しない）と、を備えている。
【００１０】
トラップ本体部２１は、上部に開口を有する碗状に形成されており、溜水可能となっている。また、トラップ本体部２１の上端部内面と、取り付けフランジ２２の下端部外面には、それぞれが螺合する螺合部が形成されており、防水床パンにトラップ本体部２１を固定している。
【００１１】
封水筒２３は、トラップ本体部２１の内部に配置される筒状部と、筒状部の上端から外方側に延出形成され、取り付けフランジ２２の上面に載置される鍔部とを有する。封水筒２３の下端とトラップ本体部２１の底面とは間隔を空けて取り付けられている。このようにトラップ本体部２１内に封水筒２３の筒状部が挿入されることで、封水が形成され、下水側の異臭や害虫が室内側に逆流してくることを防止できる。
【００１２】
封水筒２３の上端には開口部が形成されており、開口部にはヘアキャッチャー１が取り付けられる。ヘアキャッチャー１は、トラップ本体部２１内部に大量の排水があり、水位が上昇した場合であっても浮き外れないように取り付けられているが、ヘアキャッチャー１を差し込み勘合等の動作を行うことで封水筒２３に対して着脱可能に取り付けられる。
【００１３】
図１〜図３に示すように、封水筒２３の上端に取り付けられるヘアキャッチャー１は、ヘアキャッチャー１の外周縁を形成する外周縁部１１と、ヘアキャッチャー１の中央部に形成される平面視円周状のオーバーフロー孔部１５と、外周縁部１１およびオーバーフロー孔部１５よりも低い位置に形成される平面視ドーナツ状の底面部１２と、底面部１２と外周縁部１１とを傾斜状に繋ぐ外側傾斜部１３と、底面部１２とオーバーフロー孔部１５とを傾斜状に繋ぐ内側傾斜部１４と、外周縁部１１の上部に形成された取っ手部１７と、を有する。
【００１４】
外側傾斜部１３および内側傾斜部１４は、通水孔１８が形成されるように網目状となっている。一方、底面部１２には通水孔が形成されておらず、閉塞面となっている。底面部１２の上面には、外側傾斜部１３および内側傾斜部１４に形成された網目と連続するように上方側に突起した凸状部１９が多数形成されている。多数の凸状部１９は、それぞれ線状に形成されており、捕集する髪の毛の方向と交差するように形成されているため、髪の毛を点で支持することが可能となっている。
【００１５】
オーバーフロー孔部１５の上端は、外周縁部１１よりも上方側に形成されており、通水孔１８が髪の毛などで塞がれた場合に主な役割を果たすようになっている。また、オーバーフロー孔部１５内には、平面視十字状の桟部１６が形成されており、流量の多い時に浮き上がった髪の毛が、通過しにくい形状になっている。
【００１６】
このように、内側傾斜面部１４を形成する網目部と、底面部１２上に形成される凸状部１９と、外側傾斜面部１３を形成する網目部は、オーバーフロー孔部１５を中心に放射状に形成されている。また、内側傾斜面部１４と外側傾斜面部１３には、上述した放射状に形成されたそれぞれの網目部と交差するように、周状網目部２０が形成されている。格子状に形成される放射状網目部と周状網目部２０とは、周状網目部２０の方が低くなるように段差が設けられている。このように網目が立体状に形成されることで、髪の毛の捕集能力が高くなるとともに、より一層、髪の毛を点で支持しやすくなる。
【００１７】
底面部１２は、全体が水平面状に形成されていても良いが、本実施形態のように僅かな傾斜面とすれば、髪の毛が小さい範囲に集中して集まりやすくなり、好ましい。尚、底面部１２には、水が溜まることがないように周状網目部が形成されていない。
【００１８】
上述したヘアキャッチャー１を用いた際の水および髪の毛の流れ方について、以下に説明する。
【００１９】
防水床パン上から排水トラップ２上部の開口に取り付けられたヘアキャッチャー１に流れ込んだ水は、外側傾斜部１３および内側傾斜部１４に形成された通水孔１８を通って、排水トラップ２内部に流入する。この際、底面部１２は閉塞されているため、底面部１２に流れ込んだ水も外側傾斜部１３および内側傾斜部１４に形成された通水孔１８を通って、排水トラップ２内部に排出されることとなる。
【００２０】
水とともにヘアキャッチャー１に流れ込んだ髪の毛の大部分は、底面部１２上に集まる。これは、外側傾斜部１３および内側傾斜部１４は、急傾斜状になっており、通水孔１８が鉛直方向寄りに向いていない（水平方向寄りに開口している）からである。このように、外側傾斜部１３および内側傾斜部１４の通水孔１８を通って髪の毛が排水トラップ１内に流入する確率は低くなっており、大部分の髪の毛は底面部１２に溜まることとなる。
【００２１】
底面部１２の上には、髪の毛を点で支持することが可能なように凸状部１９が形成されているため、髪の毛がヘアキャッチャー１と触れる面積が小さい。髪の毛を点で支持しやすくすることは、ヘアキャッチャー１に対する髪の毛の固着力を低減化する効果がある。また、底面部１２は閉塞面となっているため、髪の毛がヘアキャッチャーの上下の通水孔に複雑に絡み合うようなこともない。特に、底面部に流れ込んだ水は、底面部に沿って外側傾斜部１３または内側傾斜部１４側に流下することになるが、この際に、髪の毛を浮き上がらせる作用が働くため、より髪の毛の固着を抑制することが可能となる。
【００２２】
このように、底面部１２を閉塞面とし、閉塞面の上に髪の毛を点で支持することが可能な凸状部１９を備えたことで、従来に比べて大幅に髪の毛を取り除くことが容易となった。より一層、髪の毛を点で支持しやすくするためには、凸状部１９の上面が細形状であることが好ましい。
【００２３】
髪の毛を長期的に取り除かなかった場合には、底面部１２に溜まった髪の毛が堆積し、やがて外側傾斜部１３および内側傾斜部１４の通水孔１８を塞ぐようになる。その場合には、オーバーフロー孔部１５を通って排水トラップ内に水を排出することとなる。
【００２４】
このような状態においては、大量の髪の毛が絡まり合い、束状となっているが、オーバーフロー孔部１５には桟部１６が形成されているため、桟部で束状の髪の毛が捕捉され、オーバーフロー孔部１５から排出される可能性も少ない。桟部１６で区画されたオーバーフロー孔部１５の通水孔１個あたりの開口面積は、束状の髪の毛を想定することが主目的であるため、排水性能を高めるために外側傾斜部１３および内側傾斜部１４に形成された通水孔１８よりも大きく形成しても構わない。
【００２５】
尚、ヘアキャッチャー１の髪の毛が溜まる部分の通水孔は全てを閉塞することが好ましいが、極少数の通水孔を設けた形態であっても本発明に含むものとする。この場合、初めに髪の毛が溜まる部分（底面部の最も低い部分）は閉塞面としておき、他部に通水孔が形成されるようにすれば良い。より好ましくは、髪の毛が溜まる部分に形成される通水孔は他部とは異なり、通水を確保し、髪の毛が通過しない形状とすることが望ましい。
【図面の簡単な説明】
【００２６】
【図１】本発明に係るヘアキャッチャーの斜視図である。
【図２】本発明に係るヘアキャッチャーを裏側からみた際の平面図である。
【図３】本発明に係るヘアキャッチャーを表側からみた際の平面図である。
【図４】本発明に係る排水トラップを示す断面図である。
【符号の説明】
【００２７】
１…ヘアキャッチャー、２…排水トラップ、３…浴槽排水管、１１…外周縁部、１２…底面部、１３…外側傾斜部、１４…内側傾斜部、１５…オーバーフロー孔部、１６…桟部、１７…取っ手部、１８…通水孔、１９…凸状部、２０…周状網目部、２１…トラップ本体部、２２…取り付けフランジ、２３…封水筒、２４…接続口部、２５…逆止弁付き排水ピース、
【図１】
2010159572.tif 000003
【図２】
2010159572.tif 000004
【図３】
2010159572.tif 000005
【図４】
2010159572.tif 000006